(57)【特許請求の範囲】
【請求項１】
移動通信ネットワークに生じる輻輳を抑制する際に、当該移動通信ネットワーク内の交換機に対して輻輳抑制コマンドを投入するコマンド多重化装置とコマンド出力装置とを有する輻輳抑制コマンド投入システムにおいて、
前記コマンド多重化装置は、
輻輳が発生した旨の警報の解析結果に応じて輻輳抑制コマンドを生成し、投入対象の複数の輻輳抑制コマンドを、予め設定された多重化度に応じて多重化するコマンド多重化手段と、
前記コマンド多重化手段により多重化された複数の輻輳抑制コマンドをコマンド出力装置へ出力する第１のコマンド出力手段と、
交換機からの輻輳抑制コマンドを受け付けた旨の応答を受信する応答受信手段と
を備え、
前記コマンド多重化手段は、前記応答受信手段により受信された応答に含まれる交換機によって受け付けられた輻輳抑制コマンドの数に応じて、前記交換機によって受け付けられた数を超えない投入対象の輻輳抑制コマンドを生成し、多重化し、
前記コマンド出力装置は、
前記コマンド多重化装置からの複数の輻輳抑制コマンドを投入先の交換機毎に振り分けるコマンド振分手段と、
前記コマンド振分手段により振り分けられた輻輳抑制コマンドを投入先の交換機へ同時に出力する第２のコマンド出力手段と、
を備える輻輳抑制コマンド投入システム。
【請求項２】
請求項１に記載の輻輳抑制コマンド投入システムにおいて、
前記コマンド多重化手段は、複数の交換機に対して投入すべき同一の輻輳抑制コマンドを包含した電文を生成し、前記電文をコマンド出力装置へ出力するようにした輻輳抑制コマンド投入システム。
【請求項３】
請求項２に記載の輻輳抑制コマンド投入システムにおいて、
前記コマンド多重化手段は、複数のコマンド出力装置が存在する場合、一のコマンド出力装置の配下に存在する複数の交換機に対して投入すべき同一の輻輳抑制コマンドを包含した１つの電文を生成するようにした輻輳抑制コマンド投入システム。
【請求項４】
移動通信ネットワークに生じる輻輳を抑制する際に、輻輳が発生した旨の警報の解析結果に応じて輻輳抑制コマンドを生成し、当該移動通信ネットワーク内の交換機に対して投入すべき複数の輻輳抑制コマンドを、予め設定された多重化度に応じて多重化するコマンド多重化手段と、
前記交換機に対して輻輳抑制コマンドを出力するコマンド出力装置に対して、前記コマンド多重化手段により多重化された複数の輻輳抑制コマンドを出力するコマンド出力手段と、
交換機からの輻輳抑制コマンドを受け付けた旨の応答を受信する応答受信手段と
を備え、
前記コマンド多重化手段は、前記応答受信手段により受信された応答に含まれる交換機によって受け付けられた輻輳抑制コマンドの数に応じて、前記交換機によって受け付けられた数を超えない投入対象の輻輳抑制コマンドを生成し、多重化するようにしたコマンド多重化装置。
【請求項５】
請求項４に記載のコマンド多重化装置において、
前記コマンド多重化手段は、複数の交換機に対して投入すべき同一の輻輳抑制コマンドを包含した電文を生成し、前記電文をコマンド出力装置へ出力するようにしたコマンド多重化装置。
【請求項６】
請求項５に記載のコマンド多重化装置において、
前記コマンド多重化手段は、複数のコマンド出力装置が存在する場合、一のコマンド出力装置の配下に存在する複数の交換機に対して投入すべき同一の輻輳抑制コマンドを包含した１つの電文を生成するようにしたコマンド多重化装置。
【請求項７】
移動通信ネットワークに生じる輻輳を抑制する際に、当該移動通信ネットワーク内の交換機に対して輻輳抑制コマンドを投入する輻輳抑制コマンド投入方法において、
輻輳が発生した旨の警報の解析結果に応じて輻輳抑制コマンドを生成し、投入対象の複数の輻輳抑制コマンドを、予め設定された多重化度に応じて多重化し、前記多重化した複数の輻輳抑制コマンドを投入先の交換機毎に振り分け、前記振り分けた輻輳抑制コマンドを投入先の交換機へ同時に出力し、交換機からの輻輳抑制コマンドを受け付けた旨の応答を受信し、前記受信した応答に含まれる交換機によって受け付けられた輻輳抑制コマンドの数に応じて、前記交換機によって受け付けられた数を超えない投入対象の輻輳抑制コマンドを生成し、多重化するようにした輻輳抑制コマンド投入方法。
【請求項８】
請求項７に記載の輻輳抑制コマンド投入方法において、
複数の交換機に投入すべき同一の輻輳抑制コマンドを包含した電文を生成し、前記電文をコマンド出力装置へ出力するようにした輻輳抑制コマンド投入方法。
【発明の詳細な説明】
【０００１】
【発明の属する技術分野】
本発明は、移動通信ネットワークに生じる輻輳を抑制する際に、当該移動通信ネットワーク内の交換機に対して輻輳抑制コマンドを投入するコマンド多重化装置とコマンド出力装置とを有する輻輳抑制コマンド投入システム、コマンド多重化装置、及び、輻輳抑制コマンド投入方法に関する。
【０００２】
【従来の技術】
近年、携帯電話サービスを始めとする移動通信サービスの急速な発展に伴い、移動通信ネットワークに接続される呼数が急増している。このため、移動通信ネットワークにおいても、固定電話ネットワークと同様、テレビ番組での電話による視聴者からの懸賞応募や、チケットの電話予約等において、呼数が急激に増加することによる輻輳が生じることがある。
【０００３】
このように輻輳が発生する場合、移動通信ネットワークでは、輻輳を抑制するためのコマンド（輻輳抑制コマンド）を投入するシステム（輻輳抑制コマンド投入システム）が各交換機に対して輻輳抑制コマンドを投入する。各交換機は、輻輳抑制コマンドが投入されると、輻輳抑制コマンド投入システムに対して、コマンドを受け付けた旨の応答を返すとともに、当該投入された輻輳抑制コマンドに応じた呼接続の規制を行う。
【０００４】
【発明が解決しようとする課題】
しかしながら、従来の輻輳抑制コマンド投入システムは、１つの輻輳抑制コマンドを交換機へ投入し、当該交換機から輻輳抑制コマンドを受け付けた旨の応答が返ってきたことを契機として、次の輻輳抑制コマンドを当該交換機又は別の交換機へ投入するという手順を採用しているため、全ての交換機に対して輻輳抑制コマンドの投入を完了するまでに時間を要していた。
【０００５】
本発明は、上記問題点を解決するものであり、その目的は、輻輳発生時の規制を迅速に行うことが可能な輻輳抑制コマンド投入システム及び輻輳抑制コマンド投入方法を提供することにある。
【０００６】
【課題を解決するための手段】
上記の目的を達成するため、本発明は請求項１に記載されるように、移動通信ネットワークに生じる輻輳を抑制する際に、当該移動通信ネットワーク内の交換機に対して輻輳抑制コマンドを投入するコマンド多重化装置とコマンド出力装置とを有する輻輳抑制コマンド投入システムにおいて、前記コマンド多重化装置は、輻輳が発生した旨の警報の解析結果に応じて輻輳抑制コマンドを生成し、投入対象の複数の輻輳抑制コマンドを、予め設定された多重化度に応じて多重化するコマンド多重化手段と、前記コマンド多重化手段により多重化された複数の輻輳抑制コマンドをコマンド出力装置へ出力する第１のコマンド出力手段と、交換機からの輻輳抑制コマンドを受け付けた旨の応答を受信する応答受信手段とを備え、前記コマンド多重化手段は、前記応答受信手段により受信された応答に含まれる交換機によって受け付けられた輻輳抑制コマンドの数に応じて、前記交換機によって受け付けられた数を超えない投入対象の輻輳抑制コマンドを生成し、多重化し、前記コマンド出力装置は、前記コマンド多重化装置からの複数の輻輳抑制コマンドを投入先の交換機毎に振り分けるコマンド振分手段と、前記コマンド振分手段により振り分けられた輻輳抑制コマンドを投入先の交換機へ同時に出力する第２のコマンド出力手段とを備える。
【０００７】
このような輻輳抑制コマンド投入システムでは、投入対象の複数の輻輳抑制コマンドを多重化し、投入先の交換機毎に振り分けて当該交換機へ同時に出力するため、従来のように、１つの輻輳抑制コマンドを交換機へ投入し、当該交換機から応答が返ってきたことを契機として、次の輻輳抑制コマンドを投入するという手順よりも迅速に、全ての交換機に対して輻輳抑制コマンドを投入することができる。
【０００８】
また、前記輻輳抑制コマンド投入システムにおいて、前記コマンド多重化装置は、交換機からの輻輳抑制コマンドを受け付けた旨の応答を受信する応答受信手段を更に備え、前記コマンド多重化手段は、応答受信手段により受信された応答に含まれる交換機によって受け付けられた輻輳抑制コマンドの数に応じて、前記交換機によって受け付けられた数を超えない投入対象の輻輳抑制コマンドを生成し、多重化するようにした。
【０００９】
コマンド多重化装置が交換機からの輻輳抑制コマンドを受け付けた旨の応答を受信したということは、コマンド出力装置が既に輻輳抑制コマンドを投入先の交換機へ投入し終わって、コマンド多重化装置からの輻輳抑制コマンドを受け入れ可能な状態であることを意味する。従って、コマンド多重化装置が受信した応答に応じて、交換機によって受け付けられた数を超えない輻輳抑制コマンドを多重化し、コマンド出力装置へ出力すれば、その輻輳抑制コマンドは確実に交換機に入力されることになり、更に迅速に全ての交換機に対して輻輳抑制コマンドを投入することができる。
【００１０】
また、本発明は請求項２に記載されるように、前記輻輳抑制コマンド投入システムにおいて、前記コマンド多重化手段は、複数の交換機に対して投入すべき同一の輻輳抑制コマンドを包含した電文を生成し、前記電文をコマンド出力装置へ出力するようにした。
【００１１】
また、本発明は請求項３に記載されるように、前記輻輳抑制コマンド投入システムにおいて、前記コマンド多重化手段は、複数のコマンド出力装置が存在する場合、一のコマンド出力装置の配下に存在する複数の交換機に対して投入すべき同一の輻輳抑制コマンドを包含した１つの電文を生成するようにした。
【００１２】
また、上記の目的を達成するため、本発明は請求項４に記載されるように、移動通信ネットワークに生じる輻輳を抑制する際に、輻輳が発生した旨の警報の解析結果に応じて輻輳抑制コマンドを生成し、当該移動通信ネットワーク内の交換機に対して投入すべき複数の輻輳抑制コマンドを、予め設定された多重化度に応じて多重化するコマンド多重化手段と、前記交換機に対して輻輳抑制コマンドを出力するコマンド出力装置に対して、前記コマンド多重化手段により多重化された複数の輻輳抑制コマンドを出力するコマンド出力手段と、交換機からの輻輳抑制コマンドを受け付けた旨の応答を受信する応答受信手段とを備え、前記コマンド多重化手段は、前記応答受信手段により受信された応答に含まれる交換機によって受け付けられた輻輳抑制コマンドの数に応じて、前記交換機によって受け付けられた数を超えない投入対象の輻輳抑制コマンドを生成し、多重化するようにした。
【００１３】
また、本発明は請求項５に記載されるように、前記コマンド多重化装置において、前記コマンド多重化手段は、複数の交換機に対して投入すべき同一の輻輳抑制コマンドを包含した電文を生成し、前記電文をコマンド出力装置へ出力するようにした。また、本発明は請求項６に記載されるように、前記コマンド多重化装置において、前記コマンド多重化手段は、複数のコマンド出力装置が存在する場合、一のコマンド出力装置の配下に存在する複数の交換機に対して投入すべき同一の輻輳抑制コマンドを包含した１つの電文を生成するようにした。
【００１４】
また、上記の目的を達成するため、本発明は請求項７に記載されるように、移動通信ネットワークに生じる輻輳を抑制する際に、当該移動通信ネットワーク内の交換機に対して輻輳抑制コマンドを投入する輻輳抑制コマンド投入方法において、輻輳が発生した旨の警報の解析結果に応じて輻輳抑制コマンドを生成し、投入対象の複数の輻輳抑制コマンドを、予め設定された多重化度に応じて多重化し、前記多重化した複数の輻輳抑制コマンドを投入先の交換機毎に振り分け、前記振り分けた輻輳抑制コマンドを投入先の交換機へ同時に出力し、交換機からの輻輳抑制コマンドを受け付けた旨の応答を受信し、前記受信した応答に含まれる交換機によって受け付けられた輻輳抑制コマンドの数に応じて、前記交換機によって受け付けられた数を超えない投入対象の輻輳抑制コマンドを生成し、多重化するようにした。
【００１６】
また、本発明は請求項８に記載されるように、前記輻輳抑制コマンド投入方法において、複数の交換機に対して投入すべき同一の輻輳抑制コマンドを包含した電文を生成し、前記電文をコマンド出力装置へ出力するようにした。
【００１７】
【発明の実施の形態】
以下、本発明の実施の形態を図面に基づいて説明する。図１は、本発明が適用される輻輳抑制コマンド投入システムの構成例を示す図である。同図に示す輻輳抑制コマンド投入システム１００は、コマンド多重化装置としての移動通信網トラヒック制御管理システム（ＭＴＣＳ）１１０と、コマンド出力装置としての交換系オペレーション制御装置（ＯＣＰＥ）１２０−１、１２０−２（以下、これらＯＣＰＥ１２０−１、１２０−２をまとめて、適宜「ＯＣＰＥ１２０」と称する）とを備える。
【００１８】
この輻輳抑制コマンド投入システム１００は、移動通信ネットワーク２００に輻輳が生じた場合、投入対象の複数の輻輳抑制コマンドを多重化し、移動通信ネットワーク２００内の投入先の交換機（ＮＥ）２１０−１〜２１０−５（以下、これらＮＥ２１０−１〜２１０−５をまとめて、適宜「ＮＥ２１０」と称する）毎に振り分けて、当該投入先のＮＥ２１０へ同時に出力する。
【００１９】
ＭＴＣＳ１１０は、複数の投入対象の輻輳抑制コマンドを多重化する。図２は、ＭＴＣＳの構成例を示す図である。同図に示すように、ＭＴＣＳ１１０は、受信部１１１、コマンド多重化部１１２、コマンド出力部１１３を備える。
【００２０】
受信部１１１は、移動通信ネットワーク２００に輻輳が発生した場合、当該移動通信ネットワーク２００内において輻輳発生を検出する装置（図示せず）から送られる輻輳が発生した旨の警報を受信する。この警報には、輻輳の内容についての情報が含まれる。受信部１１１は、受信した警報をコマンド多重化部１１２へ出力する。
【００２１】
コマンド多重化部１１２は、受信部１１１から送られる警報の内容を解析し、その解析結果に応じた輻輳抑制コマンドを生成する。なお、コマンド多重化部１１２は、受信部１１１から送られる警報の内容の解析結果に応じて輻輳抑制コマンドを生成するのみならず、オペレータの操作指示に応じて輻輳抑制コマンドを生成することもできる。
【００２２】
具体的には、輻輳抑制コマンドには、ＮＥ２１０から移動通信ネットワーク２００内の大容量移動通信サービス制御装置（図示せず）や信号中継局（図示せず）に対する信号送出を規制するＳＳＣコマンド、ＮＥ２１０間の回線に対する信号送出を規制するＴＧＣコマンド、特定の着信先に対する呼の接続のみを規制するＯＧＲコマンドがある。これらの輻輳抑制コマンドには、投入先となるＮＥ２１０の識別情報が含まれている。
【００２３】
コマンド多重化部１１２は、ＯＣＰＥ１２０−１、１２０−２の処理能力に応じて予め設定されている多重化度に応じて、生成した輻輳抑制コマンドを多重化した電文を生成する。具体的には、コマンド多重化部１１２は、１つのＯＣＰＥ１２０の配下にある複数のＮＥ２１０へ投入されるべき輻輳抑制コマンドに同一のものが存在する場合、それら同一の輻輳抑制コマンドを１つの電文に包含して、多重化する。
【００２４】
例えば、ＯＣＰＥ１２０−１の処理能力に応じて予め設定されている多重化度が５であり、コマンド多重化部１１２によって、ＮＥ２１０−１に対するＳＳＣコマンド、ＴＧＣコマンド、ＯＧＲコマンドが生成され、ＮＥ２１０−２に対するＳＳＣコマンド、ＴＧＣコマンドが生成された場合を考える。
【００２５】
図１に示すように、ＮＥ２１０−１、２１０−２は何れもＯＣＰＥ１２０−１の配下に存在する。従って、コマンド多重化部１１２は、ＯＣＰＥ１２０−１の処理能力に応じて予め設定されている多重化度が５であることを考慮し、これらの５つの輻輳抑制コマンドを多重化する。具体的には、コマンド多重化部１１２は、ＮＥ２１０−１及びＮＥ２１０−２に対するＳＳＣコマンドを１つの電文に包含し、ＮＥ２１０−１及びＮＥ２１０−２に対するＴＧＣコマンドを１つの電文に包含し、ＮＥ２１０−１に対するＯＧＲコマンドを１つの電文に包含することにより、５つの輻輳抑制コマンドを包含した３つの電文を生成する。
【００２６】
また、例えば、ＯＣＰＥ１２０−１及びＯＣＰＥ１２０−２の処理能力に応じて予め設定されている多重化度が５であり、コマンド多重化部１１２によって、ＮＥ２１０−１に対するＳＳＣコマンド、ＴＧＣコマンド、ＯＧＲコマンドが生成され、ＮＥ２１０−４に対するＳＳＣコマンド、ＴＧＣコマンドが生成された場合を考える。
【００２７】
図１に示すように、ＮＥ２１０−１はＯＣＰＥ１２０−１の配下に存在し、ＮＥ２１０−４はＯＣＰＥ１２０−２の配下に存在する。従って、コマンド多重化部１１２は、上述したように、ＮＥ２１０−１及びＮＥ２１０−２に対するＳＳＣコマンドを１つの電文に包含したり、ＮＥ２１０−１及びＮＥ２１０−２に対するＴＧＣコマンドを１つの電文に包含することはせず、ＮＥ２１０−１に対するＳＳＣコマンド、ＴＧＣコマンド、ＯＧＲコマンドのそれぞれを１つの電文に包含し、ＮＥ２１０−２に対するＳＳＣコマンド、ＴＧＣコマンドのそれぞれを１つの電文に包含することにより、５つの輻輳抑制コマンドを包含した５つの電文を生成する。
【００２８】
コマンド多重化部１１２は、輻輳抑制コマンドを包含した電文をコマンド出力部１１３へ出力する。コマンド出力部１１３は、これら輻輳抑制コマンドを包含した電文を取得すると、当該輻輳抑制コマンドの投入先となるＮＥ２１０の識別情報を解析する。次に、コマンド出力部１１３は、輻輳抑制コマンドを包含した電文を、その解析結果に応じてＯＣＰＥ１２０−１、１２０−２の何れかに出力する。
【００２９】
具体的には、コマンド出力部１１３は、ＮＥ２１０−１〜２１０−３に対する輻輳抑制コマンドを包含した電文については、これらＮＥ２１０−１〜２１０−３を配下とするＯＣＰＥ１２０−１に出力し、ＮＥ２１０−４、２１０−５に対する輻輳抑制コマンドを包含した電文については、これらＮＥ２１０−４、２１０−５を配下とするＯＣＰＥ１２０−２に出力する。
【００３０】
図３は、ＯＣＰＥ１２０−１の構成例を示す図である。同図に示すように、ＯＣＰＥ１２０−１は、コマンド取得部１２１、コマンド振分部１２２、コマンド出力部１２３を備える。なお、ＯＣＰＥ１２０−２も同様の構成を有している。
【００３１】
コマンド取得部１２１は、ＭＴＣＳ１１０内のコマンド出力部１１３から出力される輻輳抑制コマンドを包含した電文を取得し、コマンド振分部１２２へ出力する。
【００３２】
コマンド振分部１２２は、コマンド取得部１２１からの輻輳抑制コマンドを包含した電文を取得すると、電文内の輻輳抑制コマンドを、当該輻輳抑制コマンド内の投入先となるＮＥ２１０の識別情報を解析し、その解析結果に基づいて投入先毎に振り分ける。
【００３３】
例えば、コマンド振分部１２２は、コマンド取得部１２１からのＮＥ２１０−１及びＮＥ２１０−２に対するＳＳＣコマンドを包含した電文、ＮＥ２１０−１及びＮＥ２１０−２に対するＴＧＣコマンドを包含した電文、ＮＥ２１０−１に対するＯＧＲコマンドを含んだ電文を取得した場合、これら電文内の輻輳抑制コマンドをＮＥ２１０−１に対するＳＳＣコマンド、ＴＧＣコマンド、ＯＧＲコマンドと、ＮＥ２１０−２に対するＳＳＣコマンド、ＴＧＣコマンドとに振り分ける。振り分けられた輻輳抑制コマンドは、コマンド出力部１２３へ出力される。
【００３４】
コマンド出力部１２３は、コマンド振分部１２２からの輻輳抑制コマンドを同時に投入先となるＮＥ２１０へ出力する。
【００３５】
このような手順により、ＮＥ２１０へ輻輳抑制コマンドが投入されると、投入先のＮＥ２１０からＭＴＣＳ１１０に対し、輻輳抑制コマンドを受け付けた旨の応答が返される。この応答には、投入先のＮＥ２１０によって受け付けられた輻輳抑制コマンドの数に関する情報が含まれている。
【００３６】
再び、図２に戻って説明する。ＮＥ２１０からの輻輳抑制コマンドを受け付けた旨の応答は、ＭＴＣＳ１１０内の受信部１１１を介してコマンド多重化部１１２へ入力される。コマンド多重化部１１２は、この応答を解析し、ＮＥ２１０によって受け付けられたコマンドの数を、当該ＮＥ２１０を配下とするＯＣＰＥ１２０毎に認識する。次に、コマンド多重化部１１２は、ＮＥ２１０によって受け付けられた数を超えない輻輳抑制コマンドを新たに生成し、多重化する。
【００３７】
例えば、ＯＣＰＥ１２０−１の処理能力に応じて予め設定されている多重化度が５であり、当該ＯＣＰＥ１２０−１の配下にあるＮＥ２１０−１から３つの輻輳抑制コマンドを受け付けた旨の応答が返された場合を考える。この場合、ＯＣＰＥ１２０−１は、既に少なくとも３つの輻輳抑制コマンドを投入先のＮＥ２１０へ投入し終わっており、３つ分の輻輳抑制コマンドを新規に受け入れ可能な状態になっている。このため、コマンド多重化部１２１は、ＯＣＰＥ１２０−１の配下のＮＥ２１０−１〜２１０−３に対する輻輳抑制コマンドを最大で３つ新たに生成し、この生成した輻輳抑制コマンドを包含した電文を生成する。
【００３８】
このようにして生成された電文は、上述した場合と同様、コマンド出力部１１３を介してＯＣＰＥ１２０へ送られ、ＯＣＰＥ１２０から配下のＮＥ２１０へ電文内の輻輳抑制コマンドが同時に投入される。
【００３９】
図４は、輻輳抑制コマンド投入システム１００の動作を示す第１のシーケンス図である。以下においては、ＯＣＰＥ１２０−１及びＯＣＰＥ１２０−２の処理能力に応じて予め設定されている多重化度がそれぞれ５であるものとする。
【００４０】
ＭＴＣＳ１１０は、移動通信ネットワーク２００に輻輳が発生した場合、当該移動通信ネットワーク２００内において輻輳発生を検出する装置から送られる輻輳が発生した旨の警報を受信すると、当該警報の内容に応じた輻輳抑制コマンドを生成し、多重化する（ステップ１０１）。
【００４１】
ここでは、ＭＴＣＳ１１０は、ＮＥ２１０−１に対するＳＳＣコマンド、ＴＧＣコマンド、ＯＧＲコマンド、ＮＥ２１０−２に対するＳＳＣコマンド、ＴＧＣコマンド、ＮＥ２１０−４に対するＳＳＣコマンド、ＮＥ２１０−５に対するＴＧＣコマンドを生成し、ＮＥ２１０−１及びＮＥ２１０−２に対するＳＳＣコマンドを包含した電文、ＮＥ２１０−１及びＮＥ２１０−２に対するＴＧＣコマンドを包含した電文、ＮＥ２１０−１に対するＳＳＣコマンドを包含した電文、ＮＥ２１０−４に対するＳＳＣコマンドを包含した電文、ＮＥ２１０−５に対するＴＧＣコマンドを包含した電文を生成するものとする。
【００４２】
次に、ＭＴＣＳ１１０は、ＮＥ２１０−１及び２１０−２に対するＳＳＣコマンドを包含した電文、ＮＥ２１０−１及び２１０−２に対するＴＧＣコマンドを包含した電文、ＮＥ２１０−１に対するＯＧＲコマンドを包含した電文を、ＮＥ２１０−１及び２１０−２を配下とするＯＣＰＥ１２０−１へ出力する（ステップ１０２）。また、ＭＴＣＳ１１０は、ＮＥ２１０−４に対するＳＳＣコマンドを包含した電文、ＮＥ２１０−５に対するＴＧＣコマンドを包含した電文を、ＮＥ２１０−４及び２１０−５を配下とするＯＣＰＥ１２０−２へ出力する（ステップ１０３）。なお、ステップ１０２及びステップ１０３の動作は、並行して行われる。
【００４３】
ＯＣＰＥ１２０−１は、ＭＴＣＳ１１０からのＮＥ２１０−１及び２１０−２に対するＳＳＣコマンドを包含した電文、ＮＥ２１０−１及び２１０−２に対するＴＧＣコマンドを包含した電文、ＮＥ２１０−１に対するＯＧＲコマンドを包含した電文を取得すると、ＮＥ２１０−１に対してＳＳＣコマンド、ＴＧＣコマンド、ＯＧＲコマンドを出力し（ステップ１０４）、ＮＥ２１０−２に対してＳＳＣコマンド、ＴＧＣコマンドを出力する（ステップ１０５）。なお、ステップ１０４及びステップ１０５の動作は、並行して行われる。
【００４４】
一方、ＯＣＰＥ１２０−２は、ＭＴＣＳ１１０からのＮＥ２１０−４に対するＳＳＣコマンドを包含した電文、ＮＥ２１０−５に対するＴＧＣコマンドを包含した電文を取得すると、ＮＥ２１０−４に対してＳＳＣコマンドを出力し（ステップ１０６）、ＮＥ２１０−５に対してＴＧＣコマンドを出力する（ステップ１０７）。なお、ステップ１０６及びステップ１０７の動作は、並行して行われる。
【００４５】
図５は、輻輳抑制コマンド投入システム１００の動作を示す第２のシーケンス図である。同図は、図４に示したシーケンス図における動作の続きを示すシーケンス図である。
【００４６】
ＳＳＣコマンド、ＴＧＣコマンド、ＯＧＲコマンドを受け付けたＮＥ２１０−１は、ＭＴＣＳ１１０に対して、輻輳抑制コマンドを受け付けた旨の応答を返す（ステップ２０１）。
【００４７】
ＭＴＣＳ１１０は、この応答を受け付けると、ＯＣＰＥ１２０−１が既に少なくとも３つの輻輳抑制コマンドを投入先のＮＥ２１０−１へ投入し終わっており、３つ分の輻輳抑制コマンドを新規に受け入れ可能な状態になっていることを認識し、ＯＣＰＥ１２０−１の配下のＮＥ２１０に対する輻輳抑制コマンドを生成し、多重化する（ステップ２０２）。ここでは、ＭＴＣＳ１１０は、ＮＥ２１０−３に対するＳＳＣコマンドを包含した電文と、ＮＥ２１０−３に対するＳＳＣコマンドを包含した電文とを生成する。
【００４８】
次に、ＭＴＣＳ１１０は、ＮＥ２１０−１３に対するＳＳＣコマンドを包含した電文と、ＮＥ２１０−３に対するＴＧＣコマンドを包含した電文とを、ＮＥ２１０−３を配下とするＯＣＰＥ１２０−１へ出力する（ステップ２０２）。
【００４９】
ＯＣＰＥ１２０−１は、ＭＴＣＳ１１０からのＮＥ２１０−３に対するＳＳＣコマンドを包含した電文と、ＮＥ２１０−３に対するＴＧＣコマンドを包含した電文とを取得すると、ＮＥ２１０−３に対してＳＳＣコマンドとＴＧＣコマンド、ＯＧＲコマンドとを出力する（ステップ２０３）。
【００５０】
このように、輻輳抑制コマンド投入システム１００は、移動通信ネットワーク２００に輻輳が生じた場合、投入対象の複数の輻輳抑制コマンドを多重化し、移動通信ネットワーク２００内の投入先の交換機２１０毎に振り分けて、当該投入先のＮＥ２１０へ同時に出力しており、従来のように、１つの輻輳抑制コマンドを交換機へ投入し、当該交換機から応答が返ってきたことを契機として、次の輻輳抑制コマンドを投入するという手順よりも迅速に、全ての交換機に対して輻輳抑制コマンドを投入することができる。
【００５１】
上記各例において、コマンド多重化部１１２がコマンド多重化手段に対応し、コマンド出力部１１３が第１のコマンド出力手段に対応する。また、コマンド振分部１２２がコマンド振分手段に対応し、コマンド出力部１２３が第２のコマンド出力手段に対応する。更に、受信部１１１が応答受信手段に対応する。
【発明の効果】
上述の如く、本願発明によれば、投入対象の複数の輻輳抑制コマンドを多重化し、投入先の交換機毎に振り分けて当該交換機へ同時に出力するため、従来のように、１つの輻輳抑制コマンドを交換機へ投入し、当該交換機から応答が返ってきたことを契機として、次の輻輳抑制コマンドを投入するという手順よりも迅速に、全ての交換機に対して輻輳抑制コマンドを投入することができる。
【図面の簡単な説明】
【図１】輻輳抑制コマンド投入システムの構成例を示す図である。
【図２】ＭＴＣＳの構成例を示す図である。
【図３】ＯＣＰＥの構成例を示す図である。
【図４】輻輳抑制コマンド投入システムの動作を示す第１のシーケンス図である。
【図５】輻輳抑制コマンド投入システムの動作を示す第２のシーケンス図である。
【符号の説明】
１００  輻輳抑制コマンド投入システム
１１０  移動通信網トラヒック制御管理システム（ＭＴＣＳ）
１１１  受信部
１１２  コマンド多重化部
１１３  コマンド出力部
１２０−１、１２０−２  交換系オペレーション制御装置（ＯＣＰＥ）
１２１  コマンド取得部
１２２  コマンド振分部
１２３  コマンド出力部
２００  移動通信ネットワーク
２１０−１〜２１０−５  交換機（ＮＥ）
【図１】
0003683515.tif 000002
【図２】
0003683515.tif 000003
【図３】
0003683515.tif 000004
【図４】
0003683515.tif 000005
【図５】
0003683515.tif 000006